(57)【要約】      （修正有）【課題】組み立てが容易に行なえる節句用飾りを提供する。【解決手段】節句用飾りとなる弓太刀台１００であって、少なくとも一部に第１磁性部材を有する基台となる台座１０１などと、基台に取り付ける取付部品であって、少なくとも基台との取付部分に第２磁性部材を有する取付部品となる支柱１０２などと、を備える。第１磁性部材および第２磁性部材の少なくとも一方が磁石であって、基台と取付部品とが、第１磁性部材と第２磁性部材との間の磁力に基づいて接合され、基台において、取付部品が取り付けられる取付部分に凹みを有しない。【選択図】図１
0003192833.tif 000002
【実用新案登録請求の範囲】
【請求項１】
少なくとも一部に第１磁性部材を有する基台と、
前記基台に取り付ける取付部品であって、少なくとも前記基台との取付部分に第２磁性部材を有する取付部品と、
を備え、
前記第１磁性部材および前記第２磁性部材の少なくとも一方が磁石であって、
前記基台と前記取付部品とが、前記第１磁性部材と前記第２磁性部材との間の磁力に基づいて接合され、
前記基台において、前記取付部品が取り付けられる取付部分に凹みを有しないことを特徴とする節句用飾り。
【請求項２】
前記第１磁性部材および前記第２磁性部材が、磁石であることを特徴とする請求項１に記載の節句用飾り。
【請求項３】
前記第１磁性部材が、磁石であり、
前記第２磁性部材が、鉄、コバルトまたはニッケルであることを特徴とする請求項１に記載の節句用飾り。
【請求項４】
前記第１磁性部材が、鉄、コバルトまたはニッケルであり、
前記第２磁性部材が、磁石であることを特徴とする請求項１に記載の節句用飾り。
【請求項５】
前記取付部分と、前記取付部品が前記取付部分に接触する部分との少なくとも一方に、前記取付部品が前記基台からずれることを防止するずれ防止手段を有することを特徴とする請求項１乃至４のいずれか１項に記載の節句用飾り
【請求項６】
前記ずれ防止手段は、ゴム素材またはシリコン素材であることを特徴とする請求項５に記載の節句用飾り。
【請求項７】
前記第１磁性部材と前記第２磁性部材とは、少なくとも２つあることを特徴とする請求項１乃至６のいずれか１項に記載の節句用飾り。
【請求項８】
前記基台に、前記取付部品の取付位置を示すガイドラインが設けられていることを特徴とする請求項１乃至７のいずれか１項に記載の節句用飾り。
【考案の詳細な説明】
【技術分野】
【０００１】
本考案は、節句用飾りに関する。
【背景技術】
【０００２】
上記技術分野において、特許文献１には、家紋表示体を家紋取付台座の装着凹部に接着または磁着する技術が記載されている。
【０００３】
特許文献２には、節句人形や付属品の下端を載置穴に嵌合可能とし、その載置穴の底面または底面の下に磁石または磁性体を設ける技術が記載されている。
【先行技術文献】
【特許文献】
【０００４】
【特許文献１】特開平１０−５１０８号公報
【特許文献２】特開２００９−１００８４５号公報
【考案の概要】
【考案が解決しようとする課題】
【０００５】
しかしながら、上記技術では、装着凹部や載置穴を設けて装着しなければならず、組み立てが容易ではないという問題があった。
【０００６】
本考案の目的は、上述の課題を解決する技術を提供することにある。
【課題を解決するための手段】
【０００７】
上記目的を達成するために、本考案に係る節句用飾りは、
少なくとも一部に第１磁性部材を有する基台と、
前記基台に取り付ける取付部品であって、少なくとも前記基台との取付部分に第２磁性部材を有する取付部品と、
を備え、
前記第１磁性部材および前記第２磁性部材の少なくとも一方が磁石であって、
前記基台と前記取付部品とが、前記第１磁性部材と前記第２磁性部材との間の磁力に基づいて接合され、
前記基台において、前記取付部品が取り付けられる取付部分に凹みを有しない。
【考案の効果】
【０００８】
本考案によれば、節句用飾りの組み立てが容易に行なえる。
【図面の簡単な説明】
【０００９】
【図１】本考案の第１実施形態に係る弓太刀台の斜視図である。
【図２】図２（Ａ）は、本考案の第１実施形態に係る台座を説明する図であり、図２（Ｂ）は、本考案の第１実施形態に係る台座のＡ−Ａ線断面図である。
【図３】図３（Ａ）は、本考案の第１実施形態に係る支柱の上面図であり、図３（Ｂ）は、支柱の下面図であり、図３（Ｃ）は、支柱１０２のＢ−Ｂ線断面図である。
【図４】図４（Ａ）は、本考案の第１実施形態に係る弓太刀受けの側面図であり、図４（Ｂ）は、弓太刀受けの下面図である。
【図５】図５（Ａ）は、本考案の第１実施形態に係る台座に支柱を接合する様子を示す図であり、図５（Ｂ）は支柱に弓太刀受けを接合する様子を示す図である。
【図６】図６（Ａ）は、本考案の第１実施形態に係る吊るし飾り台を説明する図であり、図６（Ｂ）は他の吊るし飾り台を説明する図であり、図６（Ｃ）は名前旗台を説明する図である。
【図７】本考案の第２実施形態に係る弓太刀台の側面図である。
【図８】本考案の第３実施形態に係る弓太刀台を説明する側面図である。
【図９】本考案の第４実施形態に係る兜を説明する図であり、図９（Ａ）は、兜の正面図であり、図９（Ｂ）は、兜のＣ−Ｃ線断面図である。
【図１０】本考案の第４実施形態に係る兜をさらに説明する図である。
【図１１】本考案の第４実施形態に係る兜をさらに説明する図である。
【図１２】本考案の第５実施形態に係る兜を説明する図である。
【考案を実施するための形態】
【００１０】
以下に、本考案を実施するための形態について、図面を参照して、例示的に詳しく説明記載する。ただし、以下の実施の形態に記載されている、構成、数値などは一例に過ぎず、その変形や変更は自由であって、本考案の技術範囲を以下の記載に限定する趣旨のものではない。
【００１１】
［第１実施形態］
【００１２】
本考案の第１実施形態に係る節句用飾りについて以下に図を用いて説明する。
【００１３】
図１は、弓太刀台１００の斜視図である。弓太刀台１００は、台座１０１と支柱１０２と弓太刀受け１０３とを備える。また、弓矢１０４が立て掛けられている。ここで基台とは、取付部分の面積が大きいものをいい、取付部品とは、取付部分の面積が小さいものをいう。例えば、図１の例では、台座１０１と弓太刀受け１０３とが基台となり、支柱１０２が取付部品となる。
【００１４】
次に、図２を参照して台座１０１について説明する。
【００１５】
図２（Ａ）は、台座１０１の上面図である。図示したように、台座１０１の上面はフラットであり、凹みがない。また、貫通しない円形の穴２０４、２０５が形成されている。穴２０４、２０５には、２個のマグネット２０１、２０２が嵌め込まれている。点線領域２０６は支柱１０２の下部が接続される領域である。
【００１６】
図２（Ｂ）は、台座１０１のＡ−Ａ線断面図である。穴２０１にマグネット２０４が嵌め込まれ、マグネット２０４の底面と側面が接着剤で穴２０１に固定される。マグネット２０４の上面は、台座１０１の上面と面一となるように設定される。これは吸着面としてのマグネット２０４の面が対応するマグネット面とすきまなく接するようにしてギャップ損失を回避するためである。
【００１７】
図３を参照して支柱１０２について説明する。図３（Ａ）は、支柱１０２の上面図である。マグネット３０１、３０２の上面は支柱１０２の上部の面と面一になっている。また、円形の穴３０３、３０４が設けられている。
【００１８】
図３（Ｂ）は、支柱１０２の下面図である。マグネット３１０、３１１の下面は支柱１０２の下面と面一となっている。円形の穴３１２、３１３が設けられている。また、支柱１０２の下部面３０８が図２（Ａ）の点線領域２０３に接続される。
【００１９】
図３（Ｃ）は、支柱１０２のＢ−Ｂ線断面図である。支柱の下部には台座１０１の円形の穴２０４の位置に対応して円形の穴３１３が形成される。穴３１３にマグネット３１１が嵌め込まれ、マグネット３１１の上面と側面が接着剤で穴３１３に固定される。マグネット３１１の下面は支柱１０２の下面と面一となっている。同様に支柱１０２の上部に円形の穴３０４が形成される。穴３０４にマグネット３０２が嵌め込まれ、マグネット３０２の底面と側面が接着剤で穴３０４に固定される。支柱１０２の上面はフラット面となっており、穴の中心軸がフラット面に対して垂直方向になるように穴３０４が形成される。マグネット３０２の上面は支柱１０２の上面のフラット面と面一となっている。
【００２０】
図４を参照して弓太刀受け１０３について説明する。図４（Ａ）は、弓太刀受け１０３の側面図であり、図４（Ｂ）は、弓太刀受け１０３の下面図である。弓太刀受け１０３の下部に支柱１０２の円形の穴３０３、３０４に対応する円形の穴４０２、４０３が形成されている。穴４０２、４０３には、マグネット４００、４０１が嵌め込まれ、マグネット４００、４０１の上面と側面が接着剤で穴４０２、４０３に固定される。マグネット４００、４０１の下面は弓太刀受け１０３の下面と面一となっている。
【００２１】
ここで、上述したマグネットの磁極について説明する。マグネットは対応するマグネットの面が互いに反対の磁極となるように設定される。例えば、図２に示した、台座１０１のマグネット２０１、２０２の上面をＮ極とした場合、図３に示した、支柱１０２の下部のマグネット３０２、３０３の下面はＳ極となるように設定される。同様に支柱１０２の上部のマグネット３０４、３０５の上面をＮ極とした場合、図４に示した、弓太刀受け１０３のマグネット４０２、４０３の下面はＳ極となるよう設定される。
【００２２】
図５は、弓太刀台１００の組み立て方を説明する図である。
【００２３】
図５（Ａ）は、支柱１０２が、台座１０１に接合される様子を示す図であり、図５（Ｂ）は、弓太刀受け１０３が、支柱１０２に接合される様子を示す図である。
【００２４】
支柱１０２の下面に設けられたマグネット３０２、３０３が、台座１０１に設けられたマグネット２０１、２０２に面合わせされることにより、支柱１０２が、台座１０１に接合される。
【００２５】
同様にして、弓太刀受け１０３に設けられたマグネット４００、４０１が、支柱１０２の上面に設けられたマグネット３０１、３０２に面合わせされることにより、弓太刀受け１０３が、支柱１０２に接合される。
【００２６】
弓太刀台１００、すなわち、台座１０１、支柱１０２および弓太刀受け１０３の素材としては木材、ＭＤＦ（中密度繊維板）、プラスチック樹脂などが用いられるが、これらに限定されるものではない。また、台座１０１等に設けた穴は、台座１０１等の材質に合わせて切削あるいは成型により形成することができる。マグネットの固定は上記した接着剤による固定の他、穴に密着させた嵌合で行うこともできる。
【００２７】
上記構成によれば、全て平面に穴を形成するので穴形成およびマグネット固定が容易である。また、凹みのない平面と平面とを面あわせするだけでいいので、エンドユーザーは弓太刀台１００を容易に組み立てることができる。また、組み立てた弓太刀台１００を容易に分解することも可能である。さらに、平面に穴を形成する構成であるので必要なマグネットの吸着強度に容易に対応できる。
【００２８】
次に、図６を参照して第１実施形態の他の応用例について説明する。
【００２９】
図６（Ａ）は、吊るし飾り台６００の斜視図である。図示したように、吊るし飾り台６００の台座６０１と支柱６０２との接合にも本実施形態を適用することができる。さらに、吊るし飾り６０３と支柱６０２との接合部６０４にも、同様に本実施形態を適用することができる。これにより、今までは吊るし飾り６０３を単に紐で支柱６０２に引っ掛けていただけであったものを、磁性部材を用いて吊るすことも可能となる。
【００３０】
図６（Ｂ）は、他の吊るし飾り台６１０の斜視図である。図６（Ａ）と同様に、台座６１１と支柱６１２との接合にも適用可能である。また、環状の吊るし飾り６１３と支柱６１２との接合部６１４にも同様に適用可能である。
【００３１】
さらに、図６（Ｃ）は、名前旗台６２０の外観図である。図６（Ａ）および（Ｂ）と同様に、台座６２１と支柱６２２の接合にも適用可能である。また、名前旗６２３と支柱６２２との接合部６２４にも同様に適用可能である。
【００３２】
上述の例では、吊るし飾り６０３、環状の飾り６１３および名前旗６２３による揺れと重さが原因で支柱６０２、６１２、６２２が不安定になりやすい。この場合は、台座６０１、６１１、６２１および支柱６０２、６１２、６２２に設けるマグネット数を増やす（例えば３個のマグネットを面合わせする構成にする）。あるいは個々のマグネットの吸着能力を大きくする（例えば穴およびマグネットの面の断面積を２倍にする）など適宜選択可能である。
【００３３】
これとは反対に、吊るし飾り６０３、環状の飾りもの６１３、名前旗６２３が軽量小型で支柱６０２、６１２、６２２にあまり負荷がかからない場合には、マグネット数を減らしたり、マグネット形状を小さくしたりすることも可能である。
【００３４】
さらに、マグネットの配置を図２（Ａ）に示したように、２個のマグネットを横配置しただけでなく、垂直方向の縦配置や三角形の頂点に配置する三角形配置としてもよい。さらに、四角形の頂点に配置する四角形配置、多角形の頂点に配置する多角形配置、円や楕円の円周上に配置する環状配置などとしてもよい。
なお、上述の例では、接合される部品の双方、例えば、台座１０１および支柱１０２の双方にマグネットが嵌め込まれていたが、どちらか一方にだけマグネットを嵌め込み、他方には磁石以外の磁性部材を埋め込んでもよい。磁石以外の磁性部材としては、鉄、コバルト、ニッケルが挙げられる。
【００３５】
ここで、鉄は軟磁性体であり、マグネットに対して常に引力を生じる。そのため、穴に固定するマグネットの磁極方向はＳとＮのいずれでもよい。したがってマグネットの磁極の向きを考慮することなく台座１０１や支柱１０２、弓太刀受け１０３にマグネットを固定できる利点がある。さらに、マグネットと異なり鉄は加工が容易であり安価である。
【００３６】
また、例えば、支柱１０２が台座１０１からずれることを防止するずれ防止手段を台座１０１に設けてもよい。例えば、台座１０１側や支柱１０２側、弓太刀受け１０３側にゴム素材やシリコン素材の部材を設けてもよい。この場合、基台側、つまり台座１０１側や弓太刀受け１０３側ににずれ防止手段を設けてもよい。また、取付部品側つまり、支柱１０２側にずれ防止手段を設けてもよい。さらに、基台側、取付部品側の双方にずれ防止手段を設けてもよい。これにより、支柱１０２に触れたとしても、支柱１０２が台座１０１から容易にずれることを防止できる。
【００３７】
［第２実施形態］
次に、本考案の第２実施形態に係る節句用飾りついて図７を参照して説明する。
【００３８】
第１実施形態に係る節句用飾りでは、台座１０１および弓太刀受け１０３の穴２０４、２０５は貫通していなかった。これに対して、第２実施形態に係る節句用飾りでは、これらの穴が貫通している点で、第１実施形態とは異なる。
【００３９】
図７は、弓太刀台７００の側面図である。弓太刀台７００は、台座７０１と支柱７０２と弓太刀受け７０３とを備える。台座７０１、支柱７０２および弓太刀受け７０３には、穴７０４、７０５、７０６、７０７がそれぞれ設けられている。また、台座７０１および弓太刀受け７０３に設けられた穴７０４、７０７はそれぞれ貫通している。
【００４０】
穴７０４、７０７にはマグネット７０８、７１１が嵌め込まれ、マグネット７０８、７１１の側面が穴７０４、７０７に接着剤で固定される。
【００４１】
また、台座７０１に嵌め込まれたマグネット７０８の上面および下面と台座７０１の上面および下面はぞれぞれ面一になっている。同様に、弓太刀受け７０３に嵌め込まれたマグネット７１１の上面および下面と弓太刀受け７０３の上面および下面もそれぞれ面一になっている。なお、支柱７０２の穴７０５、７０６とマグネット７０９、７１０の構成は第１実施形態と同じである。
【００４２】
第２実施形態の場合、台座７０１および弓太刀受け７０３の穴７０４、７０７が貫通する構成であるため切削あるいは成型により、穴７０４、７０７の形成が容易になる。またマグネットが接着剤あるいは嵌合によりしっかり固定されているか容易に確認できるという利点がある。
【００４３】
［第３実施形態］
【００４４】
第１実施形態および第２実施形態では、マグネットが外部に露出した状態であった。これに対して、第３実施形態に係る節句用飾りでは、マグネットが外部に露出していない点で第１実施形態および第２実施形態とは異なる。
【００４５】
図８は、弓太刀台８００の側面図である。弓太刀台８００の基本的構成は、図７に示した弓太刀台７００と同じであるので説明は省略する。
【００４６】
台座８０１の穴８０４にはマグネット８０８が嵌め込まれ接着剤で固定されている。このマグネット８０８は、外部に露出しておらず、台座８０１に完全に埋め込まれている。したがって、台座８０１の表面には凹みがなく、完全にフラットな状態となっている。支柱８０２および弓太刀受け８０３のマグネット８０９、８１０、８１１も同様に、支柱８０２および弓太刀受け８０３に完全に埋め込まれている。
【００４７】
ここで、例えば、マグネット８１０が嵌め込まれる位置、すなわち、支柱８０２の上面からの深さは、マグネット８１０とマグネット８１１とによる接合力が保たれる位置であれば、いずれの位置でもよい。マグネット８１０の大きさや磁石強度に応じて任意の位置を選択可能である。他のマグネット８０８、８１０、８１１についても同様である。
【００４８】
このように、外部にマグネット８０８、８０９、８１０、８１１が露出していないので、表面がフラットであり、見栄えがよく、節句用飾りの外観を損なうことがない。また、例えば、台座８０１の表面に漆等の塗料を塗布する場合にも、マグネット８０８の部分だけ塗料が塗布できないということがないので、非常に綺麗な外観を保つことができる。
【００４９】
なお、第３実施形態では、マグネット８０８、８０９の位置を外部から視認することができないので、支柱８０２の台座８０１への接合位置が分かりにくい場合がある。したがって、例えば、台座８０１の上面に支柱８０２の接合位置を示すガイドラインを設けてもよい。弓太刀受け８０３についても同様にガイドラインを設けてもよい。
【００５０】
［第４実施形態］
【００５１】
次に、本考案の第４実施形態に係る節句用飾りついて図９を参照して説明する。
【００５２】
図９（Ａ）は、兜９００の正面図であり、図９（Ｂ）は、兜９００のＣ−Ｃ線断面図である。
【００５３】
兜９００は、角飾り９０１、９０２を備えている。図示したように、兜９００には、マグネット９０３、９０４が嵌め込まれている。また、角飾り９０１、９０２の端部には、マグネット９０３、９０４が嵌め込まれている。これにより、兜９００に角飾り９０１、９０２が安定して固定される。
【００５４】
ここでは、マグネット９０３、９０４とマグネット９０５、９０６とをほぼ同じ面積で示しているが、マグネット９０５、９０６をマグネット９０３、９０４よりも大きい面積を有するものとしてもよい。これにより、角飾り９０１、９０２の設置が容易になる。
【００５５】
図１０は、兜９００を飾り棚１０００に載置した場合を示している。この場合も、飾り棚１０００に穴１００３、１００４が設けられ、この穴１００３、１００４に、マグネット１００１、１００２が嵌め込まれている。これにより、兜９００を安定して飾り棚１０００の上に置くことが可能となる。なお、この場合のマグネット１００１、１００２は、図２や図７に示したのと同様に、外部に露出している。
【００５６】
ここでは、飾り棚１０００について説明したが、兜９００が載置される台はこれに限らず櫃や箱等でもよい。
【００５７】
図１１は、兜９００を飾り棚１０００に載置した場合を示している。マグネット１１０１、１１０２が外部に露出していない点は図７に示した例と同様である。その他の点については、図１０に示した例と同様である。
【００５８】
また、飾り棚１０００の上に毛氈を敷く場合、毛氈の厚みによるギャップ損失がでるが適宜最適のマグネット（断面積と吸着力性能）を設定して対処することができる。
【００５９】
［第５実施形態］
【００６０】
次に、第５実施形態に係る節句用飾りについて図１２を参照して説明する。
【００６１】
図１２（Ａ）は、兜１２００の正面図であり、図１２（Ｂ）は、兜１２００のＤ−Ｄ線断面図である。
【００６２】
兜１２００が、マグネット１２０５でできている点で第４実施形態に係る兜９００と相違している。その他の点については、第４実施形態と同様である。
【００６３】
図１２に示したように、兜１２００が、マグネット１２０５でできているので、角飾り１２０１、１２０２を任意の位置に設置することができる。
【００６４】
最後にマグネットについて補足説明しておく。
【００６５】
マグネットとしての強磁性体には特有の反磁界効果がありマグネットの形状により性能が変化する（減磁する）ので注意が必要である。
【００６６】
円柱方向にＮＳ磁極を持つマグネットの場合、直径と円柱の長さが等しい場合約３０％の減磁がある。円柱の直径に対する円柱の長さが１以下になると急激に磁石としての性能が低下する。そこで本実施形態に適用するマグネットの場合、直径に対する円柱の長さの比は０．５以上であることが好ましい。こうすれば、マグネットと対応するマグネットを面合わせした場合、直径に対する全長（２つのマグネットの長さの合計）が１以上になる。またマグネットと鉄部材を接続する場合も同様であり、両者とも直径に対する円柱の長さの比は０．５以上であると効率的である。なお都合によりマグネットの長さを短くし、鉄部材の長さを長くしてもよい。その場合も直径に対する全長（マグネットの長さと鉄部材の長さの合計）の比は１以上であることが望ましい。
【００６７】
上記実施形態では全て直径が同一の円柱形マグネットと円柱形鉄部材で説明した。本実施形態ではマグネットと鉄部材の断面形状は円に限定しなくてもよい。例えば断面形状が多角形であってもよい。また飾りものであることから例えばハート形のマグネットを用いることもできる。また対応するマグネットペアあるいはマグネットと鉄部材ペアの直径を同一として説明したが、場合により対応するマグネットあるいは鉄部材の直径が同一でなくてもよい。さらに一方の断面が円であり他方が多角形であってもよい。
【００６８】
上記実施形態ではマグネットの面と対応する面は基本的に平面であると前提した。平面および円形穴は製作が容易である利点がある。しかし飾りものは多様であり、飾りものの表面形状はかならずしも平面でない。その場合飾りものの面の形状を考慮して吸着させる対応面を適宜形成できる。曲面と曲面の面あわせが正しく行われるようにするように注意すべきである。
【００６９】
特に希土類磁石は脆く腐食しやすい物質であるため、マグネットの面が大気にさらされる配置に設定する場合、そのマグネット表面に薄い保護膜を形成しておくことが好ましい。
【００７０】
さらに上記実施形態では、マグネットは単一部材として説明した。場合によりマグネットはマグネットと鉄部材を接着した複合構成としてもよい。このように構成することでマグネットのコストを低減するこができる。
【００７１】
以上説明したように、上記実施形態によれば、多種多様な節句用飾りを容易に組み立てることができ、また容易に分解することができる。さらには節句用飾りの収納スペースを小さくすることができる利点もある。
【００７２】
以上、実施形態を参照して本考案を説明したが、本考案は上記実施形態に限定されるものではない。本考案の構成や詳細には、本考案のスコープ内で当業者が理解し得る様々な変更をすることができる。
【図１】
0003192833.tif 000003
【図２】
0003192833.tif 000004
【図３】
0003192833.tif 000005
【図４】
0003192833.tif 000006
【図５】
0003192833.tif 000007
【図６】
0003192833.tif 000008
【図７】
0003192833.tif 000009
【図８】
0003192833.tif 000010
【図９】
0003192833.tif 000011
【図１０】
0003192833.tif 000012
【図１１】
0003192833.tif 000013
【図１２】
0003192833.tif 000014